(57)【要約】【課題】組み立てを容易にしたころ軸受用保持器を提供する。【解決手段】本発明に係るころ軸受用保持器は、軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記複数柱の内、少なくとも１本の柱の少なくとも１箇所で、切断されていることを特徴とする。【選択図】図１
2011247298.tif 000002
【特許請求の範囲】
【請求項１】
ころ軸受用保持器において、軸方向に間隔をあけて互いに同心に配置された、それぞれが円環状である１対のリムと、これら両リム部同士の間に掛け渡された複数本の柱とから成り、これら両リムの内側面と円周方向に隣り合う柱の円周方向側面とにより四周を囲まれた部分を、それぞれポケットとし、前記複数柱の内、少なくとも１本の柱の少なくとも１箇所で、切断されていることを特徴とするころ軸受用保持器。
【請求項２】
少なくとも１本の柱の軸方向中央の切断部で、切断されていることを特徴とした請求項１のころ軸受用保持器。
【請求項３】
少なくとも１本の柱のリム近傍の切断部で、切断されていることを特徴とした請求項１のころ軸受用保持器。
【請求項４】
隣接する２本の柱の軸方向中央の各切断部で、切断されていることを特徴とした請求項２のころ軸受用保持器。
【請求項５】
隣接する２本の柱のリム近傍の各切断部で、切断されていることを特徴とした請求項３のころ軸受用保持器。
【請求項６】
隣接する２本の柱の片側のリム近傍の切断部と反対側のリム近傍の各切断部で、切断されていることを特徴とした請求項３のころ軸受用保持器。
【請求項７】
柱一つ置きに、柱の軸方向中央の各切断部で、切断されていることを特徴とした請求項２のころ軸受用保持器。
【請求項８】
柱一つ置きに、柱のリム近傍の各切断部で、切断されていることを特徴とした請求項３のころ軸受用保持器。
【請求項９】
柱一つ置きに、柱の片側のリム近傍の切断部と反対側のリム近傍の各切断部で交互に切断されていることを特徴とした請求項３のころ軸受用保持器。
【発明の詳細な説明】
【技術分野】
【０００１】
本発明は、ころ軸受用保持器に関する。
【背景技術】
【０００２】
従来から各種回転機械装置の回転支持部に、転がり軸受が組み込まれている。大きな荷重が加わる回転支持部を構成する為の転がり軸受としては、転動体としてころ（例えば円筒ころ、円すいころ）を使用した保持器付ころ軸受が使用されている。図９は、この様な保持器付ころ軸受の１例として、例えばスクリューコンプレッサーのロータ支持部に組み込む、保持器付円筒ころ軸受１を示している。この保持器付円筒ころ軸受１は、内周面の軸方向中間部に円筒面状の外輪軌道２を有する外輪３と、外周面の軸方向中間部に円筒面状の内輪軌道４を有する内輪５と、これら外輪軌道２と内輪軌道４との間に軸受用保持器６により保持した状態で転動自在に設けられた、複数の円筒ころ７とから成る。
【０００３】
図１０（Ａ）の上部の図は、図９の軸受用保持器をＡ方向から見た断面図である。上記軸受用保持器６は、図１０に示す様に、所謂籠型保持器と呼ばれるもので、軸方向に間隔をあけて互いに同心に配置された、それぞれが円環状である１対のリム６１、６１と、これら両リム６１、６１同士の間に掛け渡された複数本の柱６２、６２とから成る。そして、これら両リム６１、６１の内側面と円周方向に隣り合う柱６２、６２の円周方向側面とにより四周を囲まれた部分を、それぞれポケット６３、６３としている。ポケット６３，６３間の各柱６２の側面は、円筒ころ７の外径面に沿った円筒面状に形成し、円筒ころ７がポケット６３の開口から落ちないようにしてある。したがって、ポケット６３のころ入口となる開口部の幅寸法Ｃは、円筒ころ７の外径寸法Ｄよりも小さくなっている。組立に際して、円筒ころ７は、白矢印で示すように、軸受用保持器６の内径側からポケット６３内に押し込み、軸受用保持器６の樹脂の持つ弾性で柱６２を撓ませて円筒ころ７の進入を可能とする。
【０００４】
このように、円筒ころ７を押し込んでポケット６３内に入れるため、開口部の幅寸法Ｃと、ころ外径Ｄの寸法差が大きくなると、円筒ころ７が軸受用保持器６に入り難い。なお、開口幅寸法Ｃを大きくすると、円筒ころ７は入り易くなる。しかし、軸受の組立時に円筒ころ７がポケット６３から落下し易くなる。特に、スクリューコンプレッサーのロータ支持部に、ころ軸受１を組み込む場合、外輪３と内輪５を別々に組み込む場合もあり、円筒ころ７の落下する状況が発生し易いので、開口幅寸法Ｃを大きくすることは好ましくない。
【０００５】
この部分の改善の先行技術としては、例えば特許文献１がある。これは、図１１に示した様に、各ポケット６３間の柱６４の軸方向の一部に、断面を他の部分よりも小さくした幅狭部６４ａを設けることにより、柱６４を撓ませ易くしているものである。
【先行技術文献】
【特許文献】
【０００６】
【特許文献１】特開平８−２９６６５２号公報
【発明の概要】
【発明が解決しようとする課題】
【０００７】
しかしながら、特許文献１に記載のころ軸受の様に、各ポケット６３間の柱６４の軸方向の一部に、断面を他の部分よりも小さくした幅狭部６４ａを設けることのみでは、柱６４に一定以上の強度が必要とされる為、柱６４が撓み難い場合もあり、組立容易性の面で改善の余地がある。
【０００８】
本発明は、前述した課題に鑑みてなされたものであり、その目的は、組み立てを容易にしたころ軸受用保持器を提供することにある。
【課題を解決するための手段】
【０００９】
前記課題を解決するため、本発明は次のような構成からなる。すなわち、本発明に係るころ軸受用保持器は、軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記複数柱の内、少なくとも１本の柱の少なくとも１箇所で、切断されていることを特徴とする。また、本発明に係るころ軸受用保持器は、少なくとも１本の柱の軸方向中央の切断部で、切断されている。また、本発明に係るころ軸受用保持器は、少なくとも１本の柱のリム近傍の切断部で、切断されている。また、本発明に係るころ軸受用保持器は、隣接する２本の柱の軸方向中央の各切断部で、切断されている。また、本発明に係るころ軸受用保持器は、隣接する２本の柱のリム近傍の各切断部で、切断されている。また、本発明に係るころ軸受用保持器は、隣接する２本の柱の片側のリム近傍の切断部と反対側のリム近傍の各切断部で、切断されている。また、本発明に係るころ軸受用保持器は、柱一つ置きに、柱の軸方向中央の各切断部で、切断されている。また、本発明に係るころ軸受用保持器は、柱一つ置きに、柱のリム近傍の各切断部で、切断されている。また、本発明に係るころ軸受用保持器は、柱一つ置きに、柱の片側のリム近傍の切断部と反対側のリム近傍の各切断部で交互に切断されている。
【発明の効果】
【００１０】
本発明によれば、前記複数柱の内、少なくとも１本の柱において、前記柱の少なくとも１箇所で、切断されているので、切断された柱の剛性が下がって撓み易くなり、当該柱に隣接するポケットに、ころを組み立て易くなる。
【図面の簡単な説明】
【００１１】
【図１】本発明に係るころ軸受用保持器の第１実施形態の斜視図
【図２】本発明に係るころ軸受用保持器の第２実施形態の斜視図
【図３】本発明に係るころ軸受用保持器の第３実施形態の斜視図
【図４】本発明に係るころ軸受用保持器の第４実施形態の斜視図
【図５】本発明に係るころ軸受用保持器の第５実施形態の斜視図
【図６】本発明に係るころ軸受用保持器の第６実施形態の斜視図
【図７】本発明に係るころ軸受用保持器の第７実施形態の斜視図
【図８】本発明に係るころ軸受用保持器の第８実施形態の斜視図
【図９】従来の保持器付ころ軸受の断面図
【図１０】（Ａ）従来のころ軸受用保持器のころ押し込み過程を示す部分断面図、（Ｂ）は同保持器の部分平面図
【図１１】従来のころ軸受用保持器の部分平面図
【発明を実施するための形態】
【００１２】
以下、本発明に係るころ軸受用保持器６の各実施形態について図面を参照して説明する。
＜第１実施形態＞
本実施形態の本発明に係るころ軸受用保持器６は、例えば樹脂からなる。樹脂材料としては、６６ナイロンを用いることが出来るが、高温強度や耐熱性に優れる４６ナイロンを用いることが好ましい。また、例えば、スクリューコンプレッサーのロータ支持部の様に、耐摩耗性や耐油性や耐熱性が求められる用途においては、耐摩耗性や耐油性や耐熱性に優れた直鎖型ポリフェニレンサルファイドを用いることがより好ましい。また、本発明に係るころ軸受用保持器６は、例えば図１に示すように、軸方向に間隔をあけて互いに同心に配置された、それぞれが円環状である１対のリム６１、６１と、これら両リム同士の間に掛け渡された複数本の柱６５、６５とから成り、これら両リムの内側面と円周方向に隣り合う柱の円周方向側面とにより四周を囲まれた部分を、それぞれポケット６３としている。前記柱６５の両ポケット側の側面には、各２箇所、計４箇所の凸部６６、６６、６６、６６が設けられている。前記凸部６６は、図示しないころの外径面に沿った円筒面状に形成され、ころがポケット６３の開口から落ちないようにしてある。したがって、ポケット６３のころ入口となる開口部の幅寸法は、ころの外径寸法よりも小さくなっている。また、前記複数の柱の内、少なくとも１本の柱において、少なくとも１箇所で、切断されている。図１において、柱６７ａは、軸方向中央の切断部６８ａで、切断されている。本実施形態において前記切断部６８ａは、保持器６を射出成形する際の型の形状を変更することにより、切断された形状になっている。また、保持器６に、ころを組み込む際、最後に組み込むころの両隣には、既にころが組み込まれているので、最後のころが組み込まれるポケット６３の両側の柱６５が、円周方向に撓む余地は小さい。しかし、前記切断部６８ａに隣接するポケット６９、６９に最後のころを組み込むことにより、柱６７ａの剛性が下がって撓み易くなるので、最後のころを、当該柱に隣接するポケットに組み立て易くなる。また、切断部６８ａがあることにより、強度は低下するが、切断されていない複数本の柱６５、６５にて強度を補完する事が可能であり、問題なく使用することが出来る。
【００１３】
＜第２実施形態＞
次に、図２を参照して第２の実施形態について説明する。なお、第１実施形態と同一又は同等部分は説明を簡略化又は省略する。図２において、柱６７ｂは、リム近傍の切断部６８ｂで、切断されているので、柱６７ｂの剛性が下がって撓み易くなり、最後のころを、当該柱に隣接するポケットに組み立て易くなる。
【００１４】
＜第３実施形態＞
次に、図３を参照して第３の実施形態について説明する。なお、第１、第２実施形態と同一又は同等部分は説明を簡略化又は省略する。図３において、隣接する２本の柱６７ａ、６７ａは、軸方向中央の各切断部６８ａ、６８ａで、切断されているので、隣接する柱６７ａ、６７ａの剛性が下がって撓み易くなる。その為、隣接する柱６７ａ、６７ａに囲まれたポケットに最後のころを組み立てる際には、隣接する柱６７ａ、６７ａがそれぞれ撓み易くなっている為、第１実施形態より更に組み立て易くなる。
【００１５】
＜第４実施形態＞
次に、図４を参照して第４の実施形態について説明する。なお、第１〜第３実施形態と同一又は同等部分は説明を簡略化又は省略する。図４において、隣接する２本の柱６７ｂ、６７ｂは、リム近傍の各切断部６８ｂ、６８ｂで、切断されているので、隣接する柱６７ｂ、６７ｂの剛性が下がって撓み易くなる。その為、隣接する柱６７ｂ、６７ｂに囲まれたポケットに最後のころを組み立てる際には、隣接する柱６７ｂ、６７ｂがそれぞれ撓み易くなっている為、第２実施形態より更に組み立て易くなる。
【００１６】
＜第５実施形態＞
次に、図５を参照して第５の実施形態について説明する。なお、第１〜第４実施形態と同一又は同等部分は説明を簡略化又は省略する。図５において、隣接する２本の柱６７ｂ、６７ｃは、片側のリム近傍の切断部６８ｂと反対側のリム近傍の切断部６８ｃで、切断されているので、隣接する柱６７ｂ、６７ｃの剛性が下がって撓み易くなる。その為、隣接する柱６７ｂ、６７ｃに囲まれたポケットに最後のころを組み立てる際には、隣接する柱６７ｂ、６７ｃがそれぞれ撓み易くなっている為、第２実施形態より更に組み立て易くなる。
【００１７】
＜第６実施形態＞
次に、図６を参照して第６の実施形態について説明する。なお、第１〜第５実施形態と同一又は同等部分には同一符号を付して説明を簡略化又は省略する。図６において、柱一つ置きに、柱６７ａ、６７ａの軸方向中央の各切断部６８ａ、６８ａで、切断されている。但し、柱の数が偶数の場合は全ての柱が一つ置きに切断されているが、柱の数が奇数の場合には、一箇所のみ隣接する柱の軸方向中央で、切断され、他の柱は一つ置きに切断されている。この様な構成の場合、全てのポケットで、切断されている柱に隣接しているので、全てのころが組み立て易くなり、切断されている柱の位置を気にせず、ころ組み立てることが出来る。
【００１８】
＜第７実施形態＞
次に、図７を参照して第７の実施形態について説明する。なお、第１〜第６実施形態と同一又は同等部分は説明を簡略化又は省略する。図７において、柱一つ置きに、柱６７ｂ、６７ｂのリム近傍の切断部６８ｂで、切断されている。但し、柱の数が偶数の場合には、全ての柱が一つ置きに、リム近傍の切断部６８ｂで、切断されているが、柱の数が奇数の場合には、一箇所のみ隣接する柱のリム近傍で、切断され、他の柱は一つ置きに切断されている。この様な構成の場合、全てのポケットが、リム近傍の切断されている柱に隣接しているので、全てのころが組み立て易くなり、切断されている柱の位置を気にせず、ころ組み立てることが出来る。
【００１９】
＜第８実施形態＞
次に、図８を参照して第８の実施形態について説明する。なお、第１〜第７実施形態と同一又は同等部分は説明を簡略化又は省略する。図８において、柱一つ置きに、柱６７ｂと６７ｃの片側のリム近傍の切断部６８ｂと反対側のリム近傍の切断部６８ｃで交互に切断されている。但し、柱の数が偶数の場合には、全ての柱が一つ置きに、片側のリム近傍の切断部６８ｂと反対側のリム近傍の切断部６８ｃで交互に切断されているが、柱の数が奇数の場合には、一箇所のみ隣接する柱の片側または反対側のリム近傍で、切断され、他の柱は一つ置き且つ交互に片側と反対側のリム近傍で、切断されている。この様な構成の場合、全てのポケットが、リム近傍の切断されている柱に隣接しているので、全てのころが組み立て易くなり、切断されている柱の位置を気にせず、ころを組み立てることが出来る。
【産業上の利用可能性】
【００２０】
以上の様に、本発明によれば、前記複数柱の内、少なくとも１本の柱において、前記柱の少なくとも１箇所で、切断されているので、切断された柱の剛性が下がって撓み易くなり、当該柱に隣接するポケットに、ころを組み立て易くなる。
なお、上述の実施形態は本発明の一例を示したものであって、本発明はこれらの実施形態に限定されるものではない。本発明の主旨を外れない限り、他の実施形態にも適用出来る。
【符号の説明】
【００２１】
１      保持器付円筒ころ軸受
２      外輪軌道
３      外輪
４      内輪軌道
５      内輪
６      ころ軸受用保持器
７      円筒ころ
６１    リム
６２    柱
６３    ポケット
６４    柱
６４ａ  幅狭部
６５    柱
６６    凸部
６７ａ  柱
６７ｂ  柱
６７ｃ  柱
６８ａ  切断部
６８ｂ  切断部
６８ｃ  切断部
６９    ポケット
【図１】
2011247298.tif 000003
【図２】
2011247298.tif 000004
【図３】
2011247298.tif 000005
【図４】
2011247298.tif 000006
【図５】
2011247298.tif 000007
【図６】
2011247298.tif 000008
【図７】
2011247298.tif 000009
【図８】
2011247298.tif 000010
【図９】
2011247298.tif 000011
【図１０】
2011247298.tif 000012
【図１１】
2011247298.tif 000013